(57)【要約】【課題】経時的にも郵便物の盗難を充分に防止できるような郵便ポストを提供する。【解決手段】投函された郵便物を内部に収容する箱状の本体部１を有し、この本体部１に郵便物を取り出す取出口２を形成し、この取出口２を開閉自在にする取出し扉３の上端部を本体部１に上下回転自在に軸支してなる郵便ポストである。取出し扉３の内面下端に内方に突出する突起部４を幅方向に部分的に設ける。本体部１の底壁９に突起部４が係止する突起受け部５を幅方向に部分的に設ける。幅方向にスライドさせた取出し扉３の突起部４が突起受け部５に対応する位置からずれるように、取出し扉３を幅方向に移動自在にする。【選択図】　　　　図１
2004024524.tif 000002
【特許請求の範囲】
【請求項１】
投函された郵便物を内部に収容する箱状の本体部を有し、この本体部に郵便物を取り出す取出口を形成し、この取出口を開閉自在にする取出し扉の上端部を本体部に上下回転自在に軸支してなる郵便ポストにおいて、取出し扉の内面下端に内方に突出する突起部を幅方向に部分的に設け、本体部の底壁に突起部が係止する突起受け部を幅方向に部分的に設け、幅方向にスライドさせた取出し扉の突起部が突起受け部に対応する位置からずれるように、取出し扉を幅方向に移動自在にしたことを特徴とする郵便ポスト。
【請求項２】
取出し扉を本体部に枢支する軸部を設け、突起部を突起受け部の対応位置に位置させるように取出し扉を幅方向に付勢するバネを、上記軸部に挿通して取出し扉と本体部との間に介装したことを特徴とする請求項１記載の郵便ポスト。
【発明の詳細な説明】
【０００１】
【発明の属する技術分野】
本発明は、郵便ポストに関する発明であって、詳しくは、郵便物の盗難抑止を図る取出し扉の開放防止構造に関する発明である。
【０００２】
【従来の技術】
昨今、市民の間では自己のプライベートを守ろうとする機運、関心が高まりを見せ、それに相俟って、郵便物の盗難防止機能を備えた家庭用の郵便ポストが普及するようになってきている。郵便物の盗難防止は、郵便物が投函される函状の本体部と郵便物を取り出す取出し扉との間に、錠を付けたりすれば確実であるが、そこまで厳重にせず、本体部と取出し扉との間に、取出し扉の簡単な開放を防止する構造を備えるだけでも、郵便物の盗難の抑止効果はある。
【０００３】
この郵便物の盗難防止機能を備えた家庭用の郵便ポストとしては、たとえば、図９に示すように、本体部１の取出口２を開閉自在にする取出し扉３が備えられた郵便ポストであって、取出口２の上縁部に取出し扉３の上端部を回転自在に枢支し、取出し扉３の回動端となる下端部分に弾性変形可能な板バネ３０を備え、この取出し扉３で取出口２に蓋をしたときには、本体部１の取出口２下縁に設けた挿通孔３１に板バネ３０が挿通されると共に、板バネ３０の先端部位を本体部１の底壁９上面に強固に弾接した状態になり、取出口２に蓋をした状態の取出し扉３を開ける際には、ある程度の力を入れないと取出し扉３が開かないようにされたものがあった。
【０００４】
しかしながら、この郵便ポストでは、経時的に板バネ３０の耐力が低下し、板バネ３０の形状が変化してしまう恐れがあり、経時的に見て、郵便ポストからの郵便物の盗難を充分に防止できるものではなかった。
【０００５】
【発明が解決しようとする課題】
本発明は上記の点に鑑みてなされたものであり、経時的にも郵便物の盗難を充分に防止できるような郵便ポストを提供することを課題とするものである。
【０００６】
【課題を解決するための手段】
上記課題を解決するために本発明に係る郵便ポストは、投函された郵便物を内部に収容する箱状の本体部１を有し、この本体部１に郵便物を取り出す取出口２を形成し、この取出口２を開閉自在にする取出し扉３の上端部を本体部１に上下回転自在に軸支してなる郵便ポストにおいて、取出し扉３の内面下端に内方に突出する突起部４を幅方向に部分的に設け、本体部１の底壁９に突起部４が係止する突起受け部５を幅方向に部分的に設け、幅方向にスライドさせた取出し扉３の突起部４が突起受け部５に対応する位置からずれるように、取出し扉３を幅方向に移動自在にしたことを特徴とする。これによると、突起部４を突起受け部５に係止して閉じ状態になっている取出し扉３を開けるには、取出し扉３を幅方向にスライドさせて突起部４の突起受け部５への係止を外した後に、取出し扉３を上方に回動させて行うものであるから、取出し扉３は簡単には開かないようになっており、郵便物の盗難の抑止を図ることができる。
【０００７】
また、取出し扉３を本体部１に枢支する枢支軸２５を設け、突起部４を突起受け部５の対応位置に位置させるように取出し扉３を幅方向に付勢するバネ６を、上記枢支軸２５に挿通して取出し扉３と本体部１との間に介装したことも好ましい。これによると、取出し扉３を閉じたときには、バネ６の付勢によって、突起部４と突起受け部５とを確実に係止状態にできるのであり、つまり、閉じている取出し扉３を開ける際には、バネ６の付勢に抗って突起部４と突起受け部５との係止を外して行わなければならず、郵便物の盗難の更なる抑止を図ることができる。
【０００８】
【発明の実施の形態】
以下、本発明を添付図面に示す実施形態に基づいて説明する。本発明は、家庭用の郵便ポストにおいて、郵便物を収容した本体部１の取出口２を閉じている取出し扉３を開けるのに、手順を踏んで開けないとスムーズに開けられないようにすることで、郵便物の盗難の抑止を図った郵便ポストである。
【０００９】
図１乃至図８に本発明の実施の形態の例を示す。郵便ポストは、図１，２に示すように、郵便物を内部に収容する矩形箱状の本体部１を有し、この本体部１の前面に郵便物を投函する投入口（図示せず）を形成すると共に、本体部１の後面に郵便物を取り出す取出口２を形成し、この取出口２に取出し扉３を開閉自在に設けて構成されている。
【００１０】
本体部１は、箱体７と枠体８とで形成されている。箱体７は、矩形状の底壁９と、底壁９の前端部から立設した前壁（図示せず）と、底壁９の幅方向の両端部からそれぞれ立設した側壁１０と、前壁及び各側壁１０の上端間に架設した上壁１１とで構成された、後方が開口した函状体である。枠体８は、矩形枠状に形成されており、この枠体８を箱体７の後方開口の縁部に取付けることで本体部１を形成している。なお、この枠体８の箱体７への取付は、図３に示すように、その外端部が本体部１の底壁９、上壁１１及び両側壁１０の後端部と共に折り曲げられたキャンシール加工によって行われている。この枠体８で囲まれた箱体７の後方開口は、本体部１内に収納された郵便物を取り出す取出口２を構成している。ここで、この枠体８の幅方向の内端部分からは、取出口２の幅方向の両端部を塞ぐ遮蔽板１２が突出されている。この遮蔽板１２は、取出口２を閉じた取出し扉３が位置する位置よりも前方位置に設けられており、取出口２の幅方向の両端部から本体部１内に埃や雨水等の侵入を防止するものである。
【００１１】
この本体部１の底壁９の下面における幅方向の一端部には、図４に示すように、突起受け部５が取付けられている。この突起受け部５は、図５に示すように、前方程下方に位置して下方に面する下方傾斜面１３を有し、この下方傾斜面１３の前端を上方に略垂直に凹没させて爪受け凹部１４を形成し、この爪受け凹部１４の前方に水平板部１５を有して構成された部材である。この突起受け部５は、底壁９の下面に沿わせ、ビス等の固着具１６ａを、水平板部１５に設けた取付孔１７に挿通すると共に本体部１の底壁９に打入することで、底壁９の下面に取り付けられている。
【００１２】
上記本体部１には、取出口２を開閉自在にする取出し扉３が装着されるが、この取出し扉３は、その中央部にのぞき窓１８が形成され、外面下端に取っ手１９が備えられた平面板状の部材である。そして、図１に示すように、この取出し扉３の内面下端における幅方向の一端部には、突起部４が取付けられている。この突起部４は、図６に示すように、横片４ａと縦片４ｂとでなるＬ字状部材である。横片４ａには、後方程上方に位置して上方に面する上方傾斜面２０を有し、この上方傾斜面２０の上端を下方に略垂直に切り込んで上方傾斜面２０の上端部分に爪部２１を形成している。この突起部４は、縦片４ｂを取出し扉３の内面に沿わせ、ビス等の固着具１６ｂを、縦片４ｂに設けた取付孔２２に挿通すると共に取出し扉３に打入することで、取出し扉３の内面から横片４ａが内方に突出するように取り付けられている。
【００１３】
この取出し扉３は、図２，７に示すように、その上端部が取出口２の上縁部に上下に回転自在に軸支される。詳述すると、取出し扉３の内面上端における幅方向両端部には枢支片２３がそれぞれ内方に突設されている。この枢支片２３には幅方向に貫通する軸挿通孔２４が形成されている。また、取出口２の幅方向の両端上部にはそれぞれ縦棒部２５ａと横棒部２５ｂとでなるＬ字棒状の枢支軸２５が設置されている。具体的に、この枢支軸２５は、枠体８内縁の幅方向の両端上部に横棒部２５ｂの長手端部が枢支され、縦棒部２５ａを取出口２の幅方向の中央方向に位置させるように、枠体８内縁から幅方向の中央方向に向けて突設されている。そして、この枢支軸２５の横棒部２５ｂを取出し扉３の枢支片２３の軸挿通孔２４に挿通すると共に、この枢支片２３と枢支軸２５の縦棒部２５ａとの間にバネ６を介装する。このバネ６はコイルバネで構成されており、枢支軸２５の横棒部２５ｂを内部に挿通させて設けられている。
【００１４】
このような枢支構造によって取出し扉３は、取出口２を開閉するように上下に回動自在にされると共に、幅方向に移動自在にされて本体部１に装着される。なお、この取出し扉３は幅方向に移動自在になっているが、バネ６の付勢により所定位置に位置されるようになっている。ここで、バネ６の付勢による位置規制を受けた取出し扉３は、その突起部４が本体部１の突起受け部５に対応する位置に位置されるようになっている。つまり、取出口２を閉じた状態の取出し扉３にあっては、バネ６の付勢を受けて、その突起部４が本体部１の突起受け部５に係止される状態になり、取出し扉３による取出口２の閉塞が維持されるようになっている。
【００１５】
つまり、この突起部４の突起受け部５への係止は、突起部４の爪部２１が突起受け部５の爪受け凹部１４に係止することで行われている。この爪部２１と爪受け凹部１４との係止は、下方傾斜面１３及び上方傾斜面２０から略垂直に切り込んだ垂直面２６，２７（図５，６）同士を対面させて行われている。したがって、そのまま取出し扉３を上方に回動させようとすると、上記垂直面２６，２７同士がまともにぶつかり、無理矢理取出し扉３を上方に回動させるように引っ張らない限り、取出し扉３はほとんど開くことができないようにされているのである。
【００１６】
この郵便ポストにおいて、取出口２から郵便物を取出す際には、図８に示すように行われる。上述したように取出口２を閉じた状態の取出し扉３にあっては、図８（ａ）（ｂ）に示すように、突起部４が突起受け部５に係止されており、取出し扉３が開かない状態にされている。したがって、まず、図８（ｃ）に示すように、取出し扉３をバネ６の付勢に抗って幅方向にスライドさせる。すると、図８（ｄ）に示すように、突起部４が突起受け部５に対応する位置からずれ、つまり突起部４と突起受け部５との係止が外れるのである。次に、図８（ｅ）に示すように、この幅方向にスライドさせた取出し扉３を上方に回動させ、取出口２を開放させる。そして、この開放された取出口２から郵便物を取り出すのである。なお、開放された取出口２を取出し扉３で閉じる場合には、バネ６の付勢を受けて位置規制された取出し扉３をそのまま下方に回動させればよい。バネ６の付勢を受けて位置規制された取出し扉３にあっては、突起部４が突起受け部５に対応する位置に位置されており、この取出し扉３を下方に回動させると突起部４が突起受け部５に衝突するが、この突起部４と突起受け部５との衝突は上方傾斜面２０と下方傾斜面１３とが擦れ合うようになるから、突起部４の爪部２１が突起受け部５の爪受け凹部１４に導入されるようになっている。しかして、バネ６の付勢を受けて位置規制された取出し扉３をそのまま下方に回動させても、取出口２を取出し扉３で閉じることができるようになっている。
【００１７】
このように本例の郵便ポストは、取出口２を開けるにあたり、取出し扉３を幅方向にスライドさせて突起部４の突起受け部５への係止を外した後に、取出し扉３を上方に回動させて行うといったように、手順を踏んで開けないとスムーズに開けられないようになっている。つまり、取出口２を閉じた取出し扉３は簡単には開かないようにされているので、郵便物の盗難に対する一定の抑止効果が期待できるようになっているのである。
【００１８】
なお、上述した例では矩形函状の郵便ポストを挙げて説明したが、郵便物の盗難防止を図る本例の技術は、本体部１の状壁が上方に凸の円弧曲面状に形成されたアメリカンポスト等、本体部１の形状を違えたものにも適用できるのは勿論、取出し扉３に投入口を形成したものにあっても適用できるのは言うまでもない。
【００１９】
【発明の効果】
上記のように本発明の請求項１記載の発明にあっては、投函された郵便物を内部に収容する箱状の本体部を有し、この本体部に郵便物を取り出す取出口を形成し、この取出口を開閉自在にする取出し扉の上端部を本体部に上下回転自在に軸支してなる郵便ポストにおいて、取出し扉の内面下端に内方に突出する突起部を幅方向に部分的に設け、本体部の底壁に突起部が係止する突起受け部を幅方向に部分的に設け、幅方向にスライドさせた取出し扉の突起部が突起受け部に対応する位置からずれるように、取出し扉を幅方向に移動自在にしたので、突起部を突起受け部に係止して閉じ状態になっている取出し扉を開けるには、取出し扉を幅方向にスライドさせて突起部の突起受け部への係止を外した後に、取出し扉を上方に回動させて行うものであるから、取出し扉は簡単には開かないようになっており、郵便物の盗難の抑止を図ることができる。
【００２０】
また、請求項２記載の発明にあっては、請求項１の効果に加えて、取出し扉を本体部に枢支する軸部を設け、突起部を突起受け部の対応位置に位置させるように取出し扉を幅方向に付勢するバネを、上記軸部に挿通すると共に取出し扉と本体部との間に介装したので、取出し扉を閉じたときには、バネの付勢によって、突起部と突起受け部とを確実に係止状態にできるのであり、つまり、閉じている取出し扉を開ける際には、バネの付勢に抗って突起部と突起受け部との係止を外して行わなければならず、郵便物の盗難の更なる抑止を図ることができる。
【図面の簡単な説明】
【図１】本発明の実施の形態の例を示す側面断面図である。
【図２】同上の斜視図である。
【図３】図２のＡ−Ａ’線断面図である。
【図４】同上の底方から見た本体部の斜視図である。
【図５】同上の突起受け部の斜視図である。
【図６】同上の突起部の斜視図である。
【図７】同上の取出し扉の枢支構造を説明するものであって、（ａ）は正面図であり、（ｂ）は側面図であり、（ｃ）は斜視図である。
【図８】（ａ）〜（ｅ）は同上の郵便ポストから郵便物を取り出す手順を説明する説明図である。
【図９】従来技術の例を示す側面断面図である。
【符号の説明】
１　本体部
２　取出口
３　取出し扉
４　突起部
５　突起受け部
６　バネ
２３　枢支片
２５　枢支軸
【図１】
2004024524.tif 000003
【図２】
2004024524.tif 000004
【図３】
2004024524.tif 000005
【図４】
2004024524.tif 000006
【図５】
2004024524.tif 000007
【図６】
2004024524.tif 000008
【図７】
2004024524.tif 000009
【図８】
2004024524.tif 000010
【図９】
2004024524.tif 000011